(57)【特許請求の範囲】
【請求項１】
透明性を有し、両面にそれぞれ投射された映像光の一部を反射して、両面で映像を表示可能な反射スクリーンであって、
光透過性を有し、該反射スクリーンの一方の面側から入射した映像光が入射する第１入射面とこれに対向する第１対向面とを有する第１単位光学形状が、該反射スクリーンの他方の面側に複数配列された第１光学形状層と、
前記第１単位光学形状に沿って形成された第１反射層と、
光透過性を有し、該反射スクリーンの前記他方の面側から入射した映像光が入射する第２入射面とこれに対向する第２対向面とを有する第２単位光学形状が、該反射スクリーンの前記一方の側に複数配列された第２光学形状層と、
前記第２単位光学形状に沿って形成された第２反射層と、
を備え、
前記第１反射層は、少なくとも前記第１単位光学形状側の面が不規則な凹凸形状を有する粗面であり、入射した光の一部を拡散反射し、入射したその他の光の少なくとも一部を拡散せずに透過する機能を有し、
前記第２反射層は、少なくとも前記第２単位光学形状側の面が不規則な凹凸形状を有する粗面であり、入射した光の一部を拡散反射し、入射したその他の光の少なくとも一部を拡散せずに透過する機能を有し、
前記第１反射層と前記第２反射層とは、光透過性を有する接合層により一体に接合されていること、
を特徴とする反射スクリーン。
【請求項２】
請求項１に記載の反射スクリーンにおいて、
前記第１単位光学形状の前記第１入射面がスクリーン面に平行な面となす角度をθ１とし、前記第１対向面がスクリーン面に平行な面となす角度をθ２とするとき、角度θ１，θ２は、θ１＜θ２を満たし、
前記第２単位光学形状の前記第２入射面がスクリーン面に平行な面となす角度をθ３とし、前記第２対向面がスクリーン面に平行な面となす角度をθ４とするとき、角度θ３，θ４は、θ３＜θ４を満たすこと、
を特徴とする反射スクリーン。
【請求項３】
請求項１又は請求項２に記載の反射スクリーンにおいて、
前記第１光学形状層は、前記第１反射層側の面に、前記第１単位光学形状が複数配列されたフレネルレンズ形状を有すること、
を特徴とする反射スクリーン。
【請求項４】
請求項１から請求項３までのいずれか１項に記載の反射スクリーンにおいて、
前記第２光学形状層は、前記第２反射層側の面に、前記第２単位光学形状が複数配列されたフレネルレンズ形状を有すること、
を特徴とする反射スクリーン。
【請求項５】
請求項１から請求項４までのいずれか１項に記載の反射スクリーンにおいて、
光を拡散する拡散粒子を含有する光拡散層を備えていないこと、
を特徴とする反射スクリーン。
【請求項６】
請求項１から請求項５までのいずれか１項に記載の反射スクリーンと、
前記反射スクリーンの前記一方の面に映像光を投射する第１の映像源と、
前記反射スクリーンの前記他方の面に映像光を投射する第２の映像源と、
を備える映像表示装置。
【発明の詳細な説明】
【技術分野】
【０００１】
本発明は、反射スクリーンと、これを備える映像表示装置とに関するものである。
【背景技術】
【０００２】
従来、映像源から投射された映像光を反射して表示する反射スクリーンとして、様々なものが開発されている（例えば、特許文献１参照）。なかでも、透明性を有する反射スクリーンは、映像光を投射しない不使用時等にはスクリーンの向こう側の景色を見ることができるので意匠性が高く、需要が高まっている。
【先行技術文献】
【特許文献】
【０００３】
【特許文献１】特開平９−１１４００３号公報
【発明の概要】
【発明が解決しようとする課題】
【０００４】
しかし、このような透明性を有する反射スクリーンは、光を拡散する拡散粒子等を含有する光拡散層を備えていると、スクリーンの向こう側の景色が白っぽくぼやけて観察される場合があり、意匠性の低下を招くため、透明性の向上が課題となっていた。また、各種スクリーンにおいて、薄型化や、コントラストの高い良好な映像を表示することは、常々求められることである。
また、従来の反射スクリーンは、一方の面でのみ映像を表示し、他方の面での映像の表示が不可能であった。
【０００５】
上述の特許文献１には、透過型、反射型の両方に使用することができるスクリーンが提案されている。しかし、この特許文献１には、透明性の向上に関する対策に関してはなんら開示されていない。また、特許文献１には、両面で映像を表示することに関しても、開示されていない。
【０００６】
本発明の課題は、透明性が高く、両面での映像表示が可能な反射スクリーンとこれを備える映像表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、透明性を有し、両面にそれぞれ投射された映像光の一部を反射して、両面で映像を表示可能な反射スクリーンであって、光透過性を有し、該反射スクリーンの一方の面側から入射した映像光が入射する第１入射面（１２１ａ）とこれに対向する第１対向面（１２１ｂ）とを有する第１単位光学形状（１２１）が、該反射スクリーンの他方の面側に複数配列された第１光学形状層（１２）と、前記第１単位光学形状の少なくとも前記第１入射面の前記他方の面側の一部に位置する第１反射層（１３）と、光透過性を有し、該反射スクリーンの前記他方の面側から入射した映像光が入射する第２入射面（１６１ａ）とこれに対向する第２対向面（１６１ｂ）とを有する第２単位光学形状（１６１）が、該反射スクリーンの前記一方の側に複数配列された第２光学形状層（１６）と、前記第２単位光学形状の少なくとも前記第２入射面の前記一方の面側の一部に位置する第２反射層（１７）と、を備え、前記第１反射層は、少なくとも前記第１単位光学形状側の面が不規則な凹凸形状を有する粗面であり、入射した光の一部を拡散反射し、入射したその他の光の少なくとも一部を透過する機能を有し、前記第２反射層は、少なくとも前記第２単位光学形状側の面が不規則な凹凸形状を有する粗面であり、入射した光の一部を拡散反射し、入射したその他の光の少なくとも一部を透過する機能を有し、前記第１反射層と前記第２反射層とは、光透過性を有する接合層により一体に接合されていること、を特徴とする反射スクリーン（３０）である。
第２の発明は、第１の発明の反射スクリーンにおいて、前記第１単位光学形状（１２１）の前記第１入射面（１２１ａ）がスクリーン面に平行な面となす角度をθ１とし、前記第１対向面（１２１ｂ）がスクリーン面に平行な面となす角度をθ２とするとき、角度θ１，θ２は、θ１＜θ２を満たし、前記第２単位光学形状（１６１）の前記第２入射面（１６１ａ）がスクリーン面に平行な面となす角度をθ３とし、前記第２対向面（１６１ｂ）がスクリーン面に平行な面となす角度をθ４とするとき、角度θ３，θ４は、θ３＜θ４を満たすこと、を特徴とする反射スクリーン（３０）である。
第３の発明は、第１の発明又は第２の発明の反射スクリーンにおいて、前記第１光学形状層（１２）は、前記第１反射層側の面に、前記第１単位光学形状（１２１）が複数配列されたフレネルレンズ形状を有すること、を特徴とする反射スクリーン（３０）である。
第４の発明は、第１の発明から第３の発明までのいずれかの反射スクリーンにおいて、前記第２光学形状層（１６）は、前記第２反射層側の面に、前記第２単位光学形状（１６１）が複数配列されたフレネルレンズ形状を有すること、を特徴とする反射スクリーン（３０）である。
第５の発明は、第１の発明から第４の発明までのいずれかの反射スクリーンにおいて、光を拡散する拡散粒子を含有する光拡散層を備えていないこと、を特徴とする反射スクリーン（３０）である。
第６の発明は、第１の発明から第５の発明までのいずれかの反射スクリーン（３０）と、前記反射スクリーンの前記一方の面に映像光を投射する第１の映像源（ＬＳ１）と、前記反射スクリーンの前記他方の面に映像光を投射する第２の映像源（ＬＳ２）と、を備える映像表示装置（１）である。
【発明の効果】
【０００８】
本発明によれば、透明性が高く、両面での映像表示が可能な反射スクリーンとこれを備える映像表示装置を提供することができる。
【図面の簡単な説明】
【０００９】
【図１】第１実施形態の映像表示装置１を示す図である。
【図２】第１実施形態のスクリーン１０の層構成を説明する図である。
【図３】第１実施形態の第１光学形状層１２を説明する図である。
【図４】第１実施形態の第２光学形状層１６を説明する図である。
【図５】第１実施形態のスクリーン１０での映像光及び外光の様子を示す図である。
【図６】第２実施形態のスクリーン２０を説明する図である。
【図７】第３実施形態のスクリーン３０を説明する図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
また、本明細書中において、記載する各部材の寸法等の数値及び材料名等は、実施形態としての一例であり、これに限定されるものではなく、適宜選択して使用してよい。
【００１１】
本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
また、本明細書中において、スクリーン面とは、スクリーン全体として見たときにおける、スクリーンの平面方向となる面を示すものである。
【００１２】
（第１実施形態）
図１は、第１実施形態の映像表示装置１を示す図である。図１（ａ）では、映像表示装置１の斜視図であり、図１（ｂ）は、映像表示装置１を側面から見た図である。
映像表示装置１は、スクリーン１０、映像源ＬＳ１，ＬＳ２等を有している。本実施形態のスクリーン１０は、映像源ＬＳ１，ＬＳ２から投影された映像光Ｌ１，Ｌ２をそれぞれ反射して、その両面の画面（表示面）に映像を表示可能である。このスクリーン１０の詳細に関しては、後述する。
【００１３】
ここで、理解を容易にするために、図１を含め以下に示す各図において、適宜、ＸＹＺ直交座標系を設けて示している。この座標系では、スクリーン１０の画面の左右方向をＸ方向、上下方向をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の一方の面（第１の面１０ａ）の正面方向に位置する観察者Ｏ１から見て画面左右方向の右側に向かう方向を＋Ｘ方向、画面上下方向の上側に向かう方向を＋Ｙ方向、厚み方向において他方の面側（第２の面１０ｂ）から一方の面（第１の面１０ａ）側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１４】
映像源ＬＳ１，ＬＳ２は、それぞれ映像光Ｌ１，Ｌ２をスクリーン１０へ投影する映像投射装置（プロジェクタ）である。本実施形態の映像源ＬＳ１，ＬＳ２は、短焦点型のプロジェクタである。
映像源ＬＳ１は、映像表示装置１の使用状態において、スクリーン１０の画面（表示領域）を第１の面１０ａ側（＋Ｚ側）の正面方向（スクリーン面の法線方向）から見た場合に、スクリーン１０の画面左右方向の中央であって、スクリーン１０の画面よりも鉛直方向下方側（−Ｙ側）に位置している。
また、映像源ＬＳ２は、映像表示装置１の使用状態において、スクリーン１０の画面（表示領域）を第２の面１０ｂ側（−Ｚ側）の正面方向（スクリーン面の法線方向）から見た場合に、スクリーン１０の画面左右方向の中央であって、スクリーン１０の画面よりも鉛直方向下方側（−Ｙ側）に位置している。
本実施形態では、スクリーン１０の正面方向（Ｚ方向）から見て、映像源ＬＳ１，ＬＳ２の位置が一致している（即ち、スクリーン１０の厚み方向の中心を通り、スクリーン面に平行な面に対して対称な位置にある）例を挙げて説明する。
【００１５】
映像源ＬＳ１，ＬＳ２は、奥行き方向（Ｚ方向）において、スクリーン１０の表面からの距離が従来の汎用プロジェクタに比べて大幅に近い位置から、斜めに映像光Ｌ１，Ｌ２を投影できる。したがって、従来の汎用プロジェクタに比べて、映像源ＬＳ１，ＬＳ２は、スクリーン１０までの投射距離が短く、投射された映像光Ｌ１，Ｌ２がスクリーン１０に入射する入射角度が大きく、スクリーン１０に入射する入射角度の変化量（最小値から最大値までの変化量）も大きい。
【００１６】
スクリーン１０は、映像源ＬＳ１，ＬＳ２が投射した映像光Ｌ１，Ｌ２の一部を反射して両面で映像を表示し、かつ、映像光を投射しない不使用時等において、スクリーン１０の向こう側の景色を観察できる透明性を有する反射スクリーンである。
このスクリーン１０は、映像源ＬＳ１が投射した映像光Ｌ１の一部を第１の面１０ａ側（＋Ｚ側）に位置する観察者Ｏ１へ向けて反射して映像を表示し、映像源ＬＳ２が投射した映像光Ｌ２の一部を第２の面１０ｂ側（−Ｚ側）に位置する観察者Ｏ２へ向けて反射して映像を表示する。
【００１７】
スクリーン１０の画面（表示領域）は、使用状態において、第１の面１０ａ側（＋Ｚ側）の観察者Ｏ１及び第２の面１０ｂ側の観察者Ｏ２から見て、いずれも矩形形状であり、長辺方向が画面左右方向となっている。本実施形態では、その両画面の幾何学的中心となる点は、それぞれ点Ａ１，Ａ２であり、正面方向（Ｚ方向）から見て、点Ａ１と点Ａ２は一致している例を挙げて説明する。
スクリーン１０は、その画面サイズが対角４０〜１００インチ程度であり、画面の横縦比が１６：９である。なお、これに限らず、例えば、４０インチ以下の大きさとしてもよく、使用目的や使用環境等に応じて、その大きさや形状は適宜選択できるものとする。
【００１８】
一般的に、スクリーンは、樹脂製の薄い層の積層体等であり、それ単独では画面の平面性を維持するだけの十分な剛性を有していない場合が多い。そのため、スクリーン１０は、例えば、その第２の面１０ｂ側（−Ｚ側）又は第１の面１０ａ側（＋Ｚ側）に光透過性を有する不図示の接合層を介して不図示の支持板が一体に接合（あるいは部分固定）され、この支持板により、画面の平面性を維持する形態としてもよい。
このような支持板は、光透過性を有し、スクリーン１０よりも剛性が高い平板状の部材が好適である。支持板は、例えば、アクリル樹脂やＰＣ樹脂等の樹脂製、ガラス製等の平板状の部材を用いることができる。このような支持板及び接合層は、これらが接合されるスクリーン１０の表面の層（後述する第２保護層１５や第１保護層１１）と屈折率差がない、又は、屈折率差が小さいことが好ましい。
【００１９】
また、スクリーン１０は、不図示の枠部材等によってその四辺等が支持され、その平面性を維持する形態としてもよい。さらに、スクリーン１０は、その第１の面１０ａ及び第２の面１０ｂ側の両面に、上述のように不図示の接合層を介して不図示の支持板が一体に接合（あるいは部分固定）され、２枚の支持板により、画面の平面性を維持する形態としてもよい。
本実施形態の映像表示装置１は、例えば、屋内用のパーテーションに適用される。このとき、スクリーン１０は、パーテーション用のガラス製や樹脂製等の透明板を上記支持板とし、これに固定される形態とすることが好適である。
【００２０】
図２は、第１実施形態のスクリーン１０の層構成を説明する図である。図２では、スクリーン１０の第１の面１０ａ（＋Ｚ側）の画面中央（画面の幾何学的中心）となる点Ａ１（図１参照）及び第２の面１０ｂ（−Ｚ側）の画面中央（画面の幾何学的中心）となる点Ａ２（図１参照）を通り、画面上下方向（Ｙ方向）に平行であって、スクリーン面に垂直（厚み方向であるＺ方向に平行）な断面の一部を拡大して示している。
本実施形態のスクリーン１０は、前述のように、その両面（第１の面１０ａ側及び第２の面１０ｂ側）に映像を表示可能な反射スクリーンである。
本実施形態のスクリーン１０は、厚み方向において第１の面１０ａ側から順に、第１保護層１１、第１光学形状層１２、第１反射層１３、第３光学形状層１４、基材層１９、第４光学形状層１８、第２反射層１７、第２光学形状層１６、第２保護層１５を備え、これらが一体に積層されている。
【００２１】
本実施形態のスクリーン１０は、図２に示す断面において、基材層１９を対称軸として、厚み方向（Ｚ方向）において対称な形状である。即ち、第１保護層１１、第１光学形状層１２、第１反射層１３、第３光学形状層１４が積層された部分は、基材層１９を対称軸として、第２保護層１５、第２光学形状層１６、第２反射層１７、第４光学形状層１８が積層された部分と対称である。
したがって、第２保護層１５は、前述の第１保護層１１を、第２光学形状層１６は、第１光学形状層１２を、第２反射層１７は、第１反射層１３を、第４光学形状層１８は、第３光学形状層１４を、それぞれＺ方向において反転させた形状である。
まず、基材層１９よりも＋Ｚ側に位置する各層について説明する。
【００２２】
第１保護層１１は、光透過性を有する樹脂製の層である。この第１保護層１１は、このスクリーン１０の第１の面１０ａ側（＋Ｚ側）を保護する機能を有している。
第１保護層１１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等のシート状の部材により形成される。
【００２３】
図３は、第１実施形態の第１光学形状層１２を説明する図である。図３（ａ）は、第１光学形状層１２を−Ｚ側から見た図を示し、図３（ｂ）は、図２に示すスクリーン１０の断面の一部を拡大して示している。
第１光学形状層１２は、第１保護層１１の第２の面１０ｂ側（−Ｚ側）に形成された光透過性を有する層である。第１光学形状層１２の第２の面１０ｂ側（−Ｚ側）の面には、第１単位光学形状（単位レンズ）１２１が複数配列されて設けられている。
第１単位光学形状１２１は、真円の一部形状（円弧状）であり、図３（ａ）に示すように、スクリーン１０の画面（表示領域）外に位置する点Ｃ１を中心として、同心円状に複数配列されている。即ち、第１光学形状層１２は、点Ｃ１を中心（フレネルセンター）とする、いわゆるオフセット構造のサーキュラーフレネルレンズ形状を有している。
この点Ｃ１は、図３（ａ）に示すように、スクリーン１０の画面左右方向の中央であって画面下方に位置しており、スクリーン１０を正面方向から見た場合、点Ｃ１と点Ａ１とは、Ｙ方向に平行な同一直線上に位置している。
【００２４】
第１単位光学形状１２１は、図２及び図３（ｂ）に示すように、その配列方向に平行な断面における断面形状が、略三角形形状である。
この第１単位光学形状１２１は、第２の面１０ｂ側（−Ｚ側）に凸であり、映像光が入射する入射面である第１斜面（レンズ面）１２１ａと、これに対向する対向面である第１対向面（非レンズ面）１２１ｂとを有している。１つの第１単位光学形状１２１において、第１対向面１２１ｂは、頂点ｔ１を挟んで第１斜面１２１ａの下側に位置している。
第１斜面１２１ａがスクリーン面に平行な面となす角度は、θ１である。第１対向面１２１ｂがスクリーン面に平行な面となす角度は、θ２である。角度θ１，θ２は、θ２＞θ１という関係を満たしている。
この第１単位光学形状１２１の第１斜面１２１ａ及び第１対向面１２１ｂは、その表面に微細かつ不規則な凹凸形状を有している。
【００２５】
第１単位光学形状１２１の配列ピッチは、Ｐ１であり、第１単位光学形状１２１の高さ（厚み方向における頂点ｔ１から第１単位光学形状１２１間の谷底となる点ｖ１までの寸法）は、ｈ１である。
理解を容易にするために、図２では、第１単位光学形状１２１の配列ピッチＰ１、角度θ１，θ２は、第１単位光学形状１２１の配列方向において一定である例を示している。しかし、本実施形態の第１単位光学形状１２１は、実際には、配列ピッチＰ１が一定であるが、角度θ１が第１単位光学形状１２１の配列方向においてフレネルセンターとなる点Ｃ１から離れるにつれて次第に大きくなっている。
角度θ１，θ２、配列ピッチＰ１等は、映像源ＬＳ１からの映像光Ｌ１の投射角度（スクリーン１０への映像光Ｌ１の入射角度）や、映像源ＬＳ１の画素（ピクセル）の大きさ、スクリーン１０の画面サイズ、各層の屈折率等に応じて、適宜設定してよい。例えば、第１単位光学形状１２１の配列方向に沿って、配列ピッチＰ１等が変化する形態としてもよい。
【００２６】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００２７】
第１反射層１３は、第１単位光学形状１２１の第２の面１０ｂ側（−Ｚ側）、即ち、第１斜面１２１ａ及び第１対向面１２１ｂの−Ｚ側に形成された層であり、入射した光の一部を反射し、入射したその他の光の少なくとも一部を透過する半透過型の反射層、いわゆるハーフミラーである。
第１反射層１３は、その両面が微細かつ不規則な凹凸形状を有する粗面である。この凹凸形状は、後述する第３光学形状層１４の第１反射層１３側の表面にも形成されており、第１反射層１３は、その凹凸形状を維持した状態で成膜されている。また、第１反射層１３の凹凸形状は、前述の第１光学形状層１２の凹凸形状とも対応している。
この微細な凹凸形状は、凸形状と凹形状とが２次元方向に不規則に配列されて形成されており、凸形状及び凹形状は、その大きさや形状、高さ等は不規則である。
第１反射層１３は、入射した光の一部を微細かつ不規則な凹凸形状により拡散して反射し、入射したその他の光の少なくとも一部を拡散しないで透過させる。
【００２８】
第１反射層１３の第１単位光学形状１２１側の面の表面粗さは、算術平均粗さＲａ（ＪＩＳ  Ｂ  ０６０１：２００１）が約０．１０〜０．５０μｍであることが、映像の良好な視野角等を実現する観点から好ましい。
第１反射層１３の反射率及び透過率は、所望する光学性能に合わせて適宜に設定できるが、映像光を良好に反射させるとともに、映像光以外の不要な外光（例えば、太陽光等の外界からの光）を良好に透過させる観点から、透過率が約３０〜８０％、反射率が約５〜６０％の範囲であることが望ましい。
【００２９】
第１反射層１３は、光反射性の高い金属、例えば、アルミニウム、銀、ニッケル等により形成された薄膜であり、その厚さは、例えば、数１０Å程度である。本実施形態の第１反射層１３は、アルミニウムを蒸着することにより形成されている。
なお、第１反射層１３は、これに限らず、例えば、光反射性の高い金属をスパッタリングしたり、金属箔を転写したりする等により形成してもよい。また、第１反射層１３は、誘電体多層膜を蒸着する等により形成してもよい。
【００３０】
第３光学形状層１４は、第１反射層１３よりも第２の面１０ｂ側（−Ｚ側）に設けられた光透過性を有する層である。
第３光学形状層１４は、第１の面１０ａ側（＋Ｚ側）の面に、第１光学形状層１２の第１単位光学形状１２１の逆型となる単位光学形状１４１が複数配列されて形成されている。この単位光学形状１４１は、第１斜面１２１ａに対応する面１４１ａや第１対向面１２１ｂに対応する面１４１ｂに、微細かつ不規則な凹凸形状が形成されている。
【００３１】
第３光学形状層１４の屈折率は、第１光学形状層１２の屈折率と等しい、又は、略等しい（等しいとみなせる程度に屈折率差が小さい）ことが望ましい。また、第３光学形状層１４は、前述の第１光学形状層１２と同じ紫外線硬化型樹脂を用いて形成することが好ましいが、異なる材料により形成してもよい。
本実施形態の第３光学形状層１４は、前述の第１光学形状層１２と同じ材料により形成され、その屈折率が第１光学形状層１２の屈折率に等しい。
【００３２】
基材層１９は、光透過性を有する樹脂製の層である。この基材層１９は、高い光透過性を有するＰＥＴ等のポリエステル樹脂、アクリル樹脂、スチレン樹脂、アクリルスチレン樹脂、ＰＣ樹脂、脂環式ポリオレフィン樹脂、ＴＡＣ樹脂等の樹脂製のシート状の部材を用いることができる。
基材層１９は、その両面に、それぞれ第３光学形状層１４、第４光学形状層１８が一体に形成されている。この基材層１９は、第３光学形状層１４及び第４光学形状層１８を形成する基材（ベース）となる層である。
基材層１９の厚さは、スクリーン１０の画面サイズ等に応じて適宜設定可能である。
【００３３】
次に、基材層１９よりも−Ｚ側に位置する各層について説明する。
第２保護層１５は、光透過性を有する樹脂製の層である。第２保護層１５は、スクリーン１０の第２の面１０ｂ側（−Ｚ側）を保護する機能を有している。
第２保護層１５は、前述の第１保護層１１と同様の部材により形成されることが好ましいが、第１保護層１１とは異なる部材により形成されもよい。
【００３４】
図４は、第１実施形態の第２光学形状層１６を説明する図である。図４（ａ）は、第２光学形状層１６を＋Ｚ側から見た図を示し、図４（ｂ）は、図２に示すスクリーン１０の断面の一部を拡大して示している。
第２光学形状層１６は、第２保護層１５の第１の面１０ａ側（＋Ｚ側）に形成された光透過性を有する層である。第２光学形状層１６の第１の面１０ａ側（＋Ｚ側）の面には、第２単位光学形状（単位レンズ）１６１が複数配列されて設けられている。
【００３５】
第２単位光学形状１６１は、前述の第１単位光学形状１２１と同様に、真円の一部形状（円弧状）であり、図４（ａ）に示すように、スクリーン１０の画面（表示領域）外に位置する点Ｃ２を中心として、同心円状に複数配列されている。即ち、第２光学形状層１６は、点Ｃ２を中心（フレネルセンター）とする、オフセット構造のサーキュラーフレネルレンズ形状を有している。
この点Ｃ２は、図４（ａ）に示すように、スクリーン１０の画面左右方向の中央であって画面下方に位置している。したがって、スクリーン１０を正面方向（Ｚ方向）から見た場合、Ｙ方向に平行な点Ｃ２と点Ａ２とは同一直線上に位置している。
また、本実施形態では、スクリーン１０を正面方向（Ｚ方向）から見た場合、点Ｃ２と点Ｃ１、点Ａ２と点Ａ１とは、それぞれ一致しており、スクリーン１０の厚み方向の中心を通り、スクリーン面に平行な面に対して対称な位置にある。
【００３６】
第２単位光学形状１６１は、図２及び図４（ｂ）に示すように、その配列方向に平行な断面における断面形状が、略三角形形状である。
この第２単位光学形状１６１は、第１の面１０ａ側（＋Ｚ側）に凸であり、映像光が入射する入射面である第２斜面（レンズ面）１６１ａと、これに対向する第２対向面（非レンズ面）１６１ｂとを有している。１つの第２単位光学形状１６１において、第２対向面１６１ｂは、頂点ｔ２を挟んで第２斜面１６１ａの下側に位置している。
この第２斜面１６１ａ及び第２対向面１６１ｂは、その表面に微細かつ不規則な凹凸形状を有している。
【００３７】
第２斜面１６１ａがスクリーン面に平行な面となす角度は、θ３である。第２対向面１６１ｂがスクリーン面に平行な面となす角度は、θ４である。角度θ３，θ４は、θ４＞θ３という関係を満たしている。
第２単位光学形状１６１の配列ピッチは、Ｐ２であり、第２単位光学形状１６１の高さ（厚み方向における頂点ｔ２から第２単位光学形状１６１間の谷底となる点ｖ２までの寸法）は、ｈ２である。
理解を容易にするために、図４（ｂ）では、第２単位光学形状１６１の配列ピッチＰ２、角度θ３，θ４は、第２単位光学形状１６１の配列方向において一定である例を示している。しかし、前述の第１単位光学形状１２１と同様に、第２単位光学形状１６１は、実際には、配列ピッチＰ２が一定であるが、角度θ３が第２単位光学形状１６１の配列方向においてフレネルセンターとなる点Ｃ２から離れるにつれて次第に大きくなっている。
【００３８】
前述のように、本実施形態の第２単位光学形状１６１は、第１単位光学形状１２１をＺ方向において反転させた形状である。したがって、本実施形態では、配列ピッチＰ１＝Ｐ２であり、第１光学形状層１２において点Ｃ１からの距離ｒである位置の第１単位光学形状１２１の角度θ１，θ２と、第２光学形状層１６において点Ｃ２からの距離が同じくｒである位置の第２単位光学形状１６１の角度θ３，θ４とは等しい。
なお、角度θ３，θ４、配列ピッチＰ２等は、映像源ＬＳ２からの映像光Ｌ２の投射角度（スクリーン１０への映像光Ｌ２の入射角度）や、映像源ＬＳ２の画素（ピクセル）の大きさ、スクリーン１０の画面サイズ、各層の屈折率等に応じて、適宜設定してよい。例えば、第２単位光学形状１６１の配列方向に沿って、配列ピッチＰ２等が変化する形態としてもよい。
【００３９】
第２光学形状層１６は、前述の第１光学形状層１２と同様に、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成される。
また、第２光学形状層１６は、例えば、電子線硬化型樹脂等の他の電離放射線硬化型樹脂により形成してもよい。
【００４０】
第２反射層１７は、第２単位光学形状１６１の第１の面１０ａ側（＋Ｚ側）、即ち、第２斜面１６１ａ及び第２対向面１６１ｂの＋Ｚ側に形成された層であり、入射した光の一部を反射し、入射したその他の光の少なくとも一部を透過する半透過型の反射層、いわゆるハーフミラーである。
第２反射層１７は、その両面が微細かつ不規則な凹凸形状を有する粗面である。この微細な凹凸形状は、凸形状と凹形状とが２次元方向に不規則に配列されて形成されており、凸形状及び凹形状は、その大きさや形状、高さ等は不規則である。また、この凹凸形状は、後述する第４光学形状層１８の第２反射層１７側の表面にも形成されており、第２反射層１７は、その凹凸形状を維持した状態で成膜されている。また、第２反射層１７の凹凸形状は、前述の第２光学形状層１６の凹凸形状とも対応している。
第２反射層１７は、入射した光の一部を微細かつ不規則な凹凸形状により拡散して反射し、入射したその他の光の少なくとも一部を拡散しないで透過させる。
【００４１】
第２反射層１７の第２単位光学形状１６１側の面の表面粗さは、前述の第１反射層１３と同様に、算術平均粗さＲａ（ＪＩＳ  Ｂ  ０６０１：２００１）が約０．１０〜０．５０μｍであることが、映像の良好な視野角等を実現する観点から好ましい。
第２反射層１７の反射率及び透過率は、所望する光学性能に合わせて適宜に設定できるが、映像光を良好に反射させるとともに、映像光以外の不要な外光を良好に透過させる観点から、前述の第１反射層１３と同様に、透過率が約３０〜８０％、反射率が約５〜６０％の範囲であることが望ましい。
【００４２】
第２反射層１７は、光反射性の高い金属、例えば、アルミニウム、銀、ニッケル等により形成された薄膜であり、その厚さは、例えば、数１０Å程度である。
本実施形態の第２反射層１７は、第１反射層１３と同様に、アルミニウムを蒸着することにより形成されている。
なお、第２反射層１７は、例えば、光反射性の高い金属をスパッタリングしたり、金属箔を転写したりする等により形成してもよいし、誘電体多層膜を蒸着することにより形成してもよい。
【００４３】
第４光学形状層１８は、第２反射層１７よりも第１の面１０ａ側（＋Ｚ側）に設けられた光透過性を有する層である。
第４光学形状層１８は、第２の面１０ｂ側（−Ｚ側）の面に、第２光学形状層１６の第２単位光学形状１６１の逆型となる単位光学形状１８１が複数配列されて形成されている。この単位光学形状１８１は、第２斜面１６１ａに対応する面１８１ａや第２対向面１６１ｂに対応する面１８１ｂに、微細かつ不規則な凹凸形状が形成されている。
【００４４】
第４光学形状層１８の屈折率は、第２光学形状層１６の屈折率と等しい、又は、略等しい（等しいとみなせる程度に屈折率差が小さい）ことが望ましい。また、第４光学形状層１８は、第２光学形状層１６と同じ紫外線硬化型樹脂を用いて形成することが好ましいが、異なる材料により形成してもよい。
本実施形態の第４光学形状層１８は、第２光学形状層１６と同じ材料により形成され、その屈折率が第２光学形状層１６の屈折率に等しい。
【００４５】
上述のように、本実施形態のスクリーン１０は、光を拡散する作用を有する粒子等の拡散材を含有した光拡散層を備えておらず、映像光等は、第１反射層１３及び第２反射層１７の微細かつ不規則な凹凸形状により拡散反射される。
【００４６】
本実施形態のスクリーン１０は、例えば、以下のような製造方法により形成される。
基材層１９を用意し、その一方の面に、第３光学形状層１４を賦形する成形型に紫外線硬化型樹脂を充填した状態で積層し、紫外線を照射して紫外線硬化型樹脂を硬化させるＵＶ成形法により、単位光学形状１４１が複数配列された第３光学形状層１４を形成する。
このとき、成形型の単位光学形状１４１の面１４１ａ，１４１ｂを賦形する面には、微細かつ不規則な凹凸形状が形成されている。そのため、形成された第３光学形状層１４の単位光学形状１４１の面１４１ａ，１４１ｂには、微細かつ不規則な凹凸形状が形成される。
【００４７】
この微細かつ不規則な凹凸形状は、成形型の単位光学形状１４１を賦形する面に、表面加工を複数回行うことにより形成できる。この表面加工は、例えば、めっき加工や、エッチング加工、ブラスト加工等である。また、表面加工は、各種条件等を変更して複数回行ってもよい。
同様に、基材層１９の他方の面にも、ＵＶ成形法により単位光学形状１８１が複数配列された第４光学形状層１８を形成する。この単位光学形状１８１の面１８１ａ，１８１ｂには、成形型に形成された凹凸形状により、微細かつ不規則な凹凸形状が形成される。
【００４８】
次に、第３光学形状層１４の単位光学形状１４１の表面に、アルミニウムを蒸着することにより、第１反射層１３を形成する。第１反射層１３は、単位光学形状１４１の表面に形成された微細かつ不規則な凹凸形状に追従して形成され、第３光学形状層１４とは反対側の面にも、この凹凸形状が維持された状態で成膜される。したがって、第１反射層１３は、その両面に微細かつ不規則な凹凸形状を有する。
同様に、第４光学形状層１８の単位光学形状１８１の表面に、アルミニウムを蒸着し、その両面に微細かつ不規則な凹凸形状を有する第２反射層１７を形成する。
【００４９】
その後、＋Ｚ側の面が平面状となるように第１反射層１３の上から紫外線硬化型樹脂を塗布し、単位光学形状１４１の凹凸を埋め、第１保護層１１を積層して、紫外線を照射して紫外線硬化型樹脂を硬化させ、第１光学形状層１２及び第１保護層１１を一体に形成する。同様に、第２反射層１７の−Ｚ側に紫外線硬化型樹脂を塗布し、単位光学形状１８１の凹凸を埋め、第２保護層１５を積層して、紫外線を照射して紫外線硬化型樹脂を硬化させ、第２光学形状層１６及び第２保護層１５を形成する。
これにより、第１保護層１１から第２保護層１５まで一体に積層された積層体が形成され、この積層体を所定の大きさに裁断する等により、スクリーン１０が完成する。
なお、第１保護層１１及び第２保護層１５は、枚葉状としてもよいし、ウェブ状としてもよい。
【００５０】
第１反射層１３及び第２反射層１７の表面に微細かつ不規則な凹凸形状を形成する方法として、例えば、単位光学形状１４１，１８１の表面に拡散粒子等を塗布してその上から第１反射層１３、第２反射層１７を形成する方法や、第３光学形状層１４及び第４光学形状層１８を形成後に、単位光学形状１４１，１８１の表面にブラスト加工を行った後に第１反射層１３、第２反射層１７を形成する方法等が、従来知られている。
しかし、このような製法では、個々のスクリーン１０での拡散特性や品質等のばらつきが大きく、安定した製造が行えない。
これに対して、上述のように、単位光学形状１４１，１８１の表面に成形型によって微細かつ不規則な凹凸形状を賦形することにより、多数のスクリーン１０を製造する場合にも、品質のばらつきが少なく、安定して製造できるという利点がある。
【００５１】
図５は、第１実施形態のスクリーン１０での映像光及び外光の様子を示す図である。図５では、図２に示したスクリーン１０の断面と同様の断面を示している。また、図５では、理解を容易にするために、スクリーン１０内の各層の界面における屈折率差はないものとして示している。
スクリーン１０の下方に位置する映像源ＬＳ１から投射され、スクリーン１０に入射した映像光Ｌ１のうち、一部の映像光Ｌ２は、第１単位光学形状１２１の第１斜面１２１ａに入射し、第１反射層１３によって拡散反射され、観察者Ｏ１側へ出射する。
【００５２】
第１斜面１２１ａに入射した映像光のうち反射しなかった他の映像光Ｌ３は、第１反射層１３を透過してスクリーン１０の第２の面１０ｂ側へ向かい、少なくとも一部が第２反射層１７を透過して、スクリーン１０の第２の面１０ｂ側（−Ｚ側）から出射する。映像光Ｌ３は、スクリーン１０の上方へと出射し、スクリーン１０の第２の面１０ｂ側の正面方向に位置する観察者Ｏ２には到達しない。また、映像光Ｌ３の一部は、第２反射層１７で反射する等してスクリーン１０内下方へ向かう等して減衰する。
また、映像源ＬＳ１から投射された映像光Ｌ１うち、一部の映像光Ｌ４は、スクリーン１０の表面（第１の面１０ａ）で反射し、スクリーン１０上方へ向かうため、観察者Ｏ１には到達せず、観察者Ｏ１の映像の視認の妨げにはならない。
【００５３】
同様に、スクリーン１０の下方に位置する映像源ＬＳ２から投射され、スクリーン１０に入射した映像光Ｌ５のうち、一部の映像光Ｌ６は、第２単位光学形状１６１の第２斜面１６１ａに入射し、第２反射層１７によって拡散反射され、観察者Ｏ２側へ出射する。
第２斜面１６１ａに入射した映像光のうち反射しなかった他の映像光Ｌ７は、第２反射層１７を透過してスクリーン１０の第１の面１０ａ側へ向かい、少なくとも一部が第１反射層１３を透過して、スクリーン１０の第１の面１０ａ側（＋Ｚ側）から出射する。映像光Ｌ７の一部は、スクリーン１０の上方へと出射し、スクリーン１０の第１の面１０ａ側の正面方向に位置する観察者Ｏ１には到達しない。また、映像光Ｌ７の一部は、第１反射層１３で反射する等してスクリーン１０内下方へ進む等して減衰する。
また、映像源ＬＳ２から投射された映像光Ｌ２うち、一部の映像光Ｌ８は、スクリーン１０の表面（第２の面１０ｂ）で反射し、スクリーン１０上方へ向かうため、観察者Ｏ２には到達せず、観察者Ｏ２の映像の視認の妨げにはならない。
【００５４】
なお、本実施形態では、映像源ＬＳ１，ＬＳ２がスクリーン１０よりも下方に位置し、映像光Ｌ１，Ｌ５がスクリーン１０の下方から投射され、かつ、第１対向面１２１ｂ，第２対向面１６１ｂの角度θ２，θ４（図３及び図４参照）がスクリーン１０の画面上下方向の各点における映像光の入射角度よりも大きいので、映像光が第１対向面１２１ｂ，第２対向面１６１ｂに直接入射することはなく、第１対向面１２１ｂ，第２対向面１６１ｂは、映像光の反射にはほとんど影響しない。
【００５５】
次に、第１の面１０ａ側（＋Ｚ側）、第２の面１０ｂ側（−Ｚ側）からスクリーン１０に入射する映像光以外の外光（太陽光等の外界からの光）について説明する。
図５に示すように、スクリーン１０に上方から入射する外光Ｇ１，Ｇ５のうち、一部の外光Ｇ２，Ｇ６は、スクリーン１０の表面（第１の面１０ａ，第２の面１０ｂ）でそれぞれ反射し、スクリーン下方側へ向かう。
スクリーン１０に＋Ｚ側上方から入射した外光のうち、一部の外光Ｇ３は、第１反射層１３で反射する。この外光Ｇ３の一部は、さらにスクリーン１０の第１の面１０ａ側の表面で全反射してスクリーン１０内下方へ向かう等して減衰し、また、外光Ｇ３の他の一部は、第１の面１０ａからのスクリーン１０の下方へ出射する。
第１反射層１３で反射しなかった他の外光Ｇ４の一部は、第１反射層１３を透過して第２の面１０ｂ側へ向かい、第２反射層１７を透過してスクリーン１０の第２の面１０ｂからスクリーン１０の下方へ出射する。また、外光Ｇ４の一部は、第２反射層１７で反射する等してスクリーン１０内下方へ向かう等して減衰する。
【００５６】
スクリーン１０に−Ｚ側上方から入射した外光のうち、一部の外光Ｇ７は、第２反射層１７で反射する。この外光Ｇ７の一部は、さらにスクリーン１０の第２の面１０ｂ側の表面で全反射してスクリーン１０内下方へ向かう等して減衰する。また、外光Ｇ７の他の一部は、第２の面１０ｂからのスクリーン１０の下方へ出射する。
また、第２反射層１７で反射しなかった他の外光Ｇ８は、第２反射層１７を透過して第１の面１０ａ側へ向かい、第１反射層１３を透過してスクリーン１０の第１の面１０ａからスクリーン１０の下方へ出射する。また、外光Ｇ８の一部は、第１反射層１３で反射する等してスクリーン１０内下方へ進む等して減衰する。
【００５７】
このとき、外光Ｇ２，Ｇ３，Ｇ８は、観察者Ｏ１には到達せず、外光Ｇ６，Ｇ７，Ｇ４は、観察者Ｏ２には到達しない。したがって、外光による映像のコントラストの低下を抑制できる。
【００５８】
また、スクリーン１０に小さな入射角度で入射する他の外光Ｇ９，Ｇ１０は、第１反射層１３及び第２反射層１７を透過して、それぞれスクリーン１０の第２の面１０ｂ、第１の面１０ａから出射する。スクリーン１０は、拡散粒子を含有する光拡散層等を備えていないので、このスクリーン１０を透過する外光Ｇ９，Ｇ１０は、拡散されない。したがって、スクリーン１０を通して、スクリーン１０の向こう側の景色を観察した場合に、スクリーン１０の向こう側の景色がぼやけたり、白くにじんだりすることなく、高い透明性を有して観察することができる。
【００５９】
従来の拡散粒子を含有する拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の景色がぼやけたり、白くにじんだりして観察され、透明性が低下する。
【００６０】
しかし、本実施形態のスクリーン１０では、第１反射層１３及び第２反射層１７の表面が微細かつ不規則な凹凸形状を有している点以外は、拡散作用を有しないので、映像光は反射時のみ拡散される。また、本実施形態のスクリーン１０では、第１反射層１３及び第２反射層１７で反射する光のみが拡散され、透過光は拡散されない。
したがって、本実施形態のスクリーン１０は、良好な視野角及び解像度を有する映像を表示でき、かつ、スクリーン１０の向こう側の景色が白くにじんだり、ぼけたりすることがなく観察者Ｏ１，Ｏ２に良好に視認され、高い透明性を実現できる。
【００６１】
また、本実施形態のスクリーン１０では、観察者Ｏ１，Ｏ２は、映像光が投射されていない時には、スクリーン１０を通してスクリーン１０の向こう側の景色を高い透明性を有して良好に視認することができる。
なお、本実施形態のスクリーン１０では、スクリーン１０に映像光が投射された状態においても、観察者Ｏ１，Ｏ２が、スクリーン１０を通してスクリーン１０の向こう側の景色を一部視認することが可能である。
以上のことから、本実施形態によれば、透明性が高く、両面で映像を表示できるスクリーン１０及び映像表示装置１を提供できる。
【００６２】
（第２実施形態）
図６は、第２実施形態のスクリーン２０を説明する図である。図６では、前述の第１実施形態のスクリーン１０の図２に示す断面に相当する、スクリーン２０の断面図を示している。
本実施形態のスクリーン２０は、前述の第１実施形態の基材層１９に替えて、接合層２１，２２及び支持体層２３を備えている点が異なる以外は、第１実施形態と同様の形態である。したがって、前述した第１実施形態と同様の機能を果たす部分には、同一の符号又は末尾に同一の符号を付して、重複する説明を適宜省略する。
【００６３】
本実施形態のスクリーン２０は、図６に示すように、その厚み方向（Ｚ方向）に沿って、第１の面２０ａ側から第２の面２０ｂ側へ向かって順に、第１保護層１１、第１光学形状層１２、第１反射層１３、第３光学形状層１４、接合層２１、支持体層２３、接合層２２，第４光学形状層１８、第２反射層１７、第２光学形状層１６、第２保護層１５を備えている。スクリーン２０は、これらの層が一体に積層されている。
【００６４】
接合層２１は、第３光学形状層１４と支持体層２３との間に設けられた層である。厚み方向において第１保護層１１から第３光学形状層１４までの各層が一体に積層された積層体を、支持体層２３に接合する機能を有する。
接合層２２は、第４光学形状層１８と支持体層２３との間に設けられた層である。厚み方向において第２保護層１５から第４光学形状層１８までの各層が一体に積層された積層体を、支持体層２３に接合する機能を有する。
接合層２１，２２は、光透過性が高い接着剤や粘着剤により形成される。この接合層２１，２２としては、例えば、光透過性を有する紫外線硬化型の接着剤等が好適である。
【００６５】
支持体層２３は、光透過性を有し、スクリーン２０の他の各層と比べて剛性が高い層である。支持体層２３は、アクリル樹脂やＰＣ樹脂等の樹脂製、ガラス製等の平板状の部材を用いることができる。また、支持体層２３は、スクリーン２０の画面の平面性を十分に実現できるように、その厚さを適宜設定してよく、スクリーン２０の他の層よりも厚い層としてもよい。
上述の支持体層２３及び前述の接合層２１，２２は、第３光学形状層１４及び第４光学形状層１８との屈折率差がない、もしくは、可能な限り屈折率差が小さいことが、層間での反射等による光量損失を低減し、透過する光量を向上させる観点から好ましい。
【００６６】
スクリーン２０は、この支持体層２３を備えることにより、スクリーン２０の平面性を向上させ、スクリーン２０単体でも十分な画面の平面性を実現できる。したがって、スクリーン２０は、その画面の平面性を維持するために、不図示の支持板等に固定される必要がない。
スクリーン２０は、前述の第１実施形態に示した映像表示装置１に適用可能である。
【００６７】
本実施形態のスクリーン２０は、例えば、以下のような製造方法により形成される。
第１保護層１１を用意し、その一方の面に、第１単位光学形状１２１を賦形する成形型に紫外線硬化型樹脂を充填した状態で積層し、紫外線を照射して紫外線硬化型樹脂を硬化させるＵＶ成形法により第１光学形状層１２を形成する。また、同様に、第２保護層１５を用意し、その一方の面に、ＵＶ成形法により第２光学形状層１６を形成する。
即ち、本実施形態の第１保護層１１、第２保護層１５は、その一方の面に第１光学形状層１２、第２光学形状層１６をそれぞれ形成する基材（ベース）となる。
このとき、第１単位光学形状１２１を賦形する成形型の第１斜面１２１ａ及び第１対向面１２１ｂを賦形する面、及び、第２単位光学形状１６１を賦形する成形型の第２斜面１６１ａ及び第２対向面１６１ｂを賦形する面には、条件の異なるめっきを２回以上繰り返したり、エッチング処理を行ったり、ブラスト処理すること等によって、微細かつ不規則な凹凸形状が形成されている。
【００６８】
第１光学形状層１２を第１保護層１１の一方の面に形成した後、第１斜面１２１ａ及び第１対向面１２１ｂに、アルミニウムを蒸着することにより、第１反射層１３を形成する。
その後、第１反射層１３の上から、第１単位光学形状１２１による凹凸の谷部を充填して平面状となるように紫外線硬化型樹脂を塗布し、紫外線を照射して紫外線硬化型樹脂を硬化させ、第３光学形状層１４を形成する。これにより、第１保護層１１、第１光学形状層１２、第１反射層１３、第３光学形状層１４が一体に積層された積層体が形成される。
【００６９】
同様に、第２単位光学形状１６１の第２斜面１６１ａ及び第２対向面１６１ｂ上にアルミニウムを蒸着し、第２反射層１７を形成する。そして、第２反射層１７の上から、第２単位光学形状１６１による凹凸の谷部を充填して平面状となるように紫外線硬化型樹脂を塗布し、紫外線を照射して紫外線硬化型樹脂を硬化させ、第４光学形状層１８を形成する。これにより、第２保護層１５、第２光学形状層１６、第２反射層１７、第４光学形状層１８が一体に形成された積層体を形成する。
そして、これらの２つの積層体を、それぞれ接合層２１，２２を介して、支持体層２３の両面にそれぞれ接合する。その後、所定の大きさに裁断する等により、スクリーン２０が完成する。
【００７０】
本実施形態では、第１光学形状層１２の第１単位光学形状１２１に第１反射層１３を形成した後に、これらの背面側に第３光学形状層１４を設け、第１単位光学形状１２１による凹凸を平坦化している。また、第２光学形状層１６の第２単位光学形状１６１に第２反射層１７を形成した後に、これらの背面側に第３光学形状層１４を設け、第２単位光学形状１６１による凹凸を平坦化している。このような第３光学形状層１４、第４光学形状層１８により、第１反射層１３及び第２反射層１７を保護し、かつ、支持体層２３への各積層体の積層を容易とすることができる。
【００７１】
本実施形態によれば、前述の第１実施形態のスクリーン１０と同様に、透明性が高く、両面で映像を表示できるスクリーン２０及び映像表示装置１を提供できる。
また、本実施形態のスクリーン２０は、支持体層２３を備えており、スクリーン２０単体で十分に画面の平面性を維持でき、別体の支持板等にスクリーン２０を固定する必要がない。したがって、本実施形態によれば、スクリーン２０単体での画面の平面性の向上と、映像表示装置１としての意匠性を向上とを両立できる。また、部品点数の削減も実現できる。
【００７２】
なお、上述の第２実施形態において、スクリーン２０は、接合層２１，２２を備えず、第３光学形状層１４及び第４光学形状層１８が、支持体層２３に一体に積層されている形態としてもよい。
また、上述の第２実施形態において、第３光学形状層１４と接合層２１との間、第４光学形状層１８と接合層２２との間に、それぞれ、光透過性を有する樹脂製の保護層をそれぞれ設けてもよい。
【００７３】
（第３実施形態）
図７は、第３実施形態のスクリーン３０を説明する図である。図７では、前述の第１実施形態のスクリーン１０の図２に示す断面に相当する、スクリーン３０の断面図を示している。
第３実施形態のスクリーン３０は、基材層１９、第３光学形状層１４、第４光学形状層１８に替えて、接合層３１を備えている点以外は、前述の第１実施形態と同様の形態である。したがって、前述した第１実施形態と同様の機能を果たす部分には、同一の符号又は末尾に同一の符号を付して、重複する説明を適宜省略する。
【００７４】
第３実施形態のスクリーン３０は、厚み方向に沿って第１の面３０ａ側から第２の面３０ｂ側へ、順に、第１保護層１１、第１光学形状層１２、第１反射層１３、接合層３１、第２反射層１７、第２光学形状層１６、第２保護層１５を備え、これらが一体に積層されている。
本実施形態のスクリーン３０は、第１実施形態の映像表示装置１に適用可能である。また、このスクリーン３０は、前述の第１実施形態のスクリーン１０と同様に、第１の面３０ａ側又は第２の面３０ｂ側（−Ｚ側）に光透過性を有する不図示の接合層を介して不図示の支持板が一体に接合（あるいは部分固定）され、この支持板により、画面の平面性を維持する形態としてもよいし、不図示の枠部材等によってその四辺等が支持され、その平面性を維持する形態等としてもよい。
【００７５】
接合層３１は、光透過性を有する樹脂製の層であり、第１反射層１３と第２反射層１７との間に設けられている。接合層３１としては、例えば、光透過性を有する紫外線硬化型樹脂製の接着剤等を用いることができる。
本実施形態のスクリーン３０は、第１保護層１１から第１反射層１３までが積層された積層体と、第２保護層１５から第２反射層１７までが積層された積層体とを、接合層３１により接合して形成されている。
【００７６】
本実施形態によれば、前述の第１実施形態のスクリーン１０と同様に、透明性が高く、両面で映像を表示できるスクリーン３０及び映像表示装置１を提供できる。
また、本実施形態によれば、スクリーン３０を構成する層数を削減することができ、各層間での反射等による光量損失を低減でき、スクリーン３０を通して向こう側を見た場合に見える景色の明るさを向上できる。
また、本実施形態によれば、スクリーン３０を構成する層数を削減できるので、スクリーン３０の部材点数を減らし、生産コストを削減することができる。
【００７７】
（変形形態）
以上説明した各実施形態に限定されることなく、種々の変形や変更が可能であって、それらも本発明の範囲内である。
（１）第１実施形態において、スクリーン１０は、基材層１９を対称軸としてＺ方向において対称であり、第２保護層１５、第２光学形状層１６、第２反射層１７、第４光学形状層１８は、それぞれ、第１保護層１１、第１光学形状層１２、第１反射層１３、第３光学形状層１４をＺ方向において反転させた形状である例を示したが、これに限らず、映像源ＬＳ１，ＬＳ２の投射角度や使用環境等に応じて、Ｚ方向において非対称な形状であってもよい。
【００７８】
例えば、第１光学形状層１２と第２光学形状層１６のうち、どちらか一方がサーキュラーフレネルレンズ形状を有し、他方がリニアフレネルレンズ形状を有する形態としてもよい。また、第１単位光学形状１２１の配列ピッチＰ１と第２単位光学形状の配列ピッチＰ２とが異なっていてもよいし、点Ｃ１からの距離ｒである第１単位光学形状１２１の角度θ１，θ２と、点Ｃ２から同じく距離ｒである位置の第２単位光学形状１６１の角度θ３，θ４とが異なっていてもよい。また、スクリーン１０の正面方向（Ｚ方向）から見て、点Ｃ１と点Ｃ２とが一致しない形態（スクリーン１０の厚み方向の中心を通り、スクリーン面に平行な面に対して非対称な位置にある形態）としてもよい。
さらに、第１保護層１１と第２保護層１５、第１光学形状層１２と第２光学形状層１６、第１反射層１３と第２反射層１７、第３光学形状層１４と第４光学形状層１８とは、それぞれ厚さや屈折率、材料が異なっていてもよい。
さらに、映像源ＬＳ１，ＬＳ２のスクリーン１０に対する位置も、スクリーン１０の厚み方向の中心を通り、スクリーン面に平行な面に対して非対称な位置にある形態としてもよい。
なお、第２実施形態のスクリーン２０、第３実施形態のスクリーン３０についても、同様である。
【００７９】
（２）各実施形態において、スクリーン１０，２０，３０の正面方向から見て、映像源ＬＳ１及び映像源ＬＳ２の位置、点Ｃ１及び点Ｃ２の位置、点Ａ１及びＡ２の位置がそれぞれ一致する（即ち、スクリーン１０，２０，３０の厚み方向の中心を通り、スクリーン面に平行な面に対して対称な位置にある）例を挙げて説明したが、所望する光学性能や使用環境等に応じて、これらの少なくとも１つが一致しない形態としてもよい。
【００８０】
（３）各実施形態において、映像源ＬＳ１，ＬＳ２は、例えば、Ｐ波の偏光成分を多く有する映像光Ｌ１，Ｌ２を投射するものとしてもよい。
このとき、映像源ＬＳ１，ＬＳ２は、映像光が入射角φでスクリーン１０，２０，３０へ投射されるように位置及び角度が設定されている。この入射角φは、スクリーン１０，２０，３０へ投射された映像光（Ｐ波）の反射率がゼロとなる入射角（ブリュースター角）をφｂ（°）とした場合、（φｂ−１０）°以上８５°以下の範囲に設定される。例えば、スクリーン１０，２０，３０へ投射された映像光の反射率がゼロとなる入射角φｂが６０°である場合、映像光の入射角φは、５０〜８５°の範囲に設定される。
【００８１】
このように、Ｐ波の偏光成分を多く含む映像光を投射する映像源ＬＳ１，ＬＳ２を用いることにより、スクリーン１０，２０，３０への入射角φが大きい場合にも、スクリーン１０，３０表面における鏡面反射を抑制することができ、映像源ＬＳ１，ＬＳ２の設置位置等、投射系の設計の自由度を上げることができる。また、このような映像源ＬＳ１，ＬＳ２を用いることにより、スクリーン１０，２０，３０に入射する際にスクリーン表面での映像光の反射を低減でき、映像の明るさ、鮮明さの向上を図ることができる。
なお、角度φｂ（ブリュースター角）は、映像光が投射されるスクリーン１０，２０，３０表面の材質により異なる。
また、このような形態の場合、第１保護層１１及び第２保護層１５としては、ＴＡＣ製のシート状の部材が好適である。
【００８２】
（４）第１実施形態及び第２実施形態において、基材層１９、支持体層２３が、所定の偏光成分（Ｐ波又はＳ波）を吸収する機能を有する偏光吸収層である形態とし、映像源ＬＳ１，ＬＳ２が、基材層１９、支持体層２３が吸収する偏向成分と同じ偏光成分を少なくとも一部含有する映像光を照射する形態としてもよい。この場合、映像源ＬＳ１，ＬＳ２は、液晶プロジェクタ等が好適である。
例えば、基材層１９又は支持体層２３が、Ｐ波の偏光成分を吸収する機能を有する場合、映像源ＬＳ１，ＬＳ２がいずれもＰ波の偏光成分を多く含む映像光を投射する形態とする。これにより、映像源ＬＳ１により＋Ｚ側から投射され、第１反射層１３を透過した映像光は、基材層１９又は支持体層２３により吸収される。また、映像源ＬＳ２により−Ｚ側から投射され、第２反射層１７を透過した映像光は、基材層１９又は支持体層２３により吸収される。
したがって、各反射層を透過した映像光がスクリーン１０，２０の反対側へ漏れることを抑制でき、このような漏れ光による表示不良を改善できる。また、前述の変形形態（２）に示したように、スクリーン１０，２０の表面での映像光の鏡面反射を抑制し、スクリーン１０，２０への入射光量の増大を図ることができる。このような効果を高めるために、映像光が含有する所定の偏光成分は、その割合が高い方が好ましい。
【００８３】
（５）各施形態において、スクリーン１０，２０，３０の両表面に、傷つき防止を目的としたハードコート層を設けてもよい。ハードコート層は、例えば、スクリーン１０，２０，３０の両表面に、ハードコート機能を有する紫外線硬化型樹脂（例えば、ウレタンアクリレート等）を塗布して形成する等により、形成される。
また、ハードコート層に限らず、スクリーン１０，２０，３０の使用環境や使用目的等に応じて、例えば、反射防止機能、紫外線吸収機能、防汚機能、帯電防止機能等、適宜必要な機能を有する層を１つ又は複数選択して設けてもよい。さらに、スクリーン２０は、その両表面にタッチパネル層等を備えていてもよい。
【００８４】
例えば、スクリーン１０，２０，３０の両表面に反射防止層を設けた場合には、スクリーン１０，２０，３０に入射する映像光の光量を増加させ、画像の明るさを向上させることができる。
また、スクリーン１０，２０，３０の両表面に反射防止層を設けた場合には、第１反射層１３（第２反射層１７）で反射した光の一部が、スクリーン１０，２０，３０と空気との界面で反射してスクリーン内を第２の面側（第１の面側）から出射し、第２の面側（第１の面側）の観察者Ｏ２（観察者Ｏ１）に、本来表示する必要のない映像が一部見えてしまうこと等を防止できる。
なお、上記の各機能は、第１保護層１１及び第２保護層１５の表面に積層して設けてもよいし、例えば、第１保護層１１及び第２保護層１５がこれらの機能を有する形態としてもよい。
【００８５】
さらに、スクリーン１０，２０，３０は、第１の面、第２の面の少なくとも一方に、タッチパネル層等を備えていてもよい。
また、平面性を維持するために、第１及び第３実施形態において、スクリーン１０，３０の片面に光透過性を有する支持板を接合する場合には、支持板を接合していない側の面に、ハードコート機能、反射防止機能、紫外線吸収機能、防汚機能、帯電防止機能等、適宜必要な機能を有する層を１つ又は複数選択して設けてもよい。
【００８６】
（６）各実施形態において、第１単位光学形状１２１の第１斜面１２１ａ及び第１対向面１２１ｂ、第２単位光学形状１６１の第２斜面１６１ａ及び第２対向面１６１ｂは、平面により形成される例を示したが、これに限らず、例えば、曲面と平面とが組み合わされた形態としてもよいし、折れ面状としてもよい。
また、第１単位光学形状１２１及び第２単位光学形状１６１は、３つ以上の複数の面によって形成される多角形形状としてもよい。
また、第１反射層１３は、第１斜面１２１ａの第２の面１０ｂ側（−Ｚ側）の少なくとも一部に設けられる形態としてもよい。第２反射層１７についても、第２斜面１６１ａの第１の面１０ａ側（＋Ｚ側）の少なくとも一部に設けられる形態としてもよい。
また、第１反射層１３及び第２反射層１７は、光が入射する第１斜面１２１ａ及び第２斜面１６１ａに隣接する部分のみが、微細かつ不規則な凹凸形状を有する形態としてもよい。
【００８７】
（７）各実施形態において、映像源ＬＳ１，ＬＳ２は、スクリーン１０，２０，３０の斜め下側等に配置され、スクリーン１０，２０，３０に対して画面左右方向において斜め方向光から映像光を投射する形態としてもよい。
この場合、映像源ＬＳ１，ＬＳ２の位置に合わせて、第１光学形状層１２及び第２光学形状層１６のサーキュラーフレネルレンズ形状のフレネルセンターとなる点Ｃ１，Ｃ２の位置をずらした形態とする。このような形態とすることにより、映像源ＬＳ１，ＬＳ２の位置等を自由に設定することができる。
また、各実施形態において、映像表示装置１，３の使用環境において、スクリーン１０，２０，３０へ上方から入射する外光の影響が小さい場合には、映像源ＬＳ１，ＬＳ２は、スクリーン１０，２０，３０の画面左右方向の中央であって画面外の上方から映像光を投射する形態としてもよい。
【００８８】
（８）各実施形態において、第１光学形状層１２及び第２光学形状層１６は、サーキュラーフレネルレンズ形状を有する例を示したが、これに限らず、例えば、第１単位光学形状１２１及び第２単位光学形状１６１が、画面左右方向を長手方向とする三角柱形状であり、画面上下方向に複数配列されて形成されたリニアフレネルレンズ形状を有していてもよい。
【００８９】
（９）各実施形態において、スクリーン１０，２０，３０は、第１保護層１１及び第２保護層１５のどちらか一方、又は、双方を備えない形態としてもよい。
また、スクリーン１０，２０，３０は、第１保護層１１及び第２保護層１５の少なくとも一方を、光透過性を有し、スクリーンの画面の平面性を維持できる合成を有したガラス製や樹脂製の板状の部材としてもよい。このとき、光透過性を有する粘着剤や接着剤による接合層等を介して第１光学形状層１２、第２光学形状層１６が、上述の板状の部材に接合される形態としてもよい。
【００９０】
（１０）各実施形態において、映像表示装置１は、屋内用のパーテーションに適用される例を示したが、これに限らず、例えば、店舗等のショーウィンドウや展示会等における映像表示等にも適用できる。
【００９１】
なお、本実施形態及び変形形態は、適宜組み合わせて用いることもできるが、詳細な説明は省略する。また、本発明は以上説明した各実施形態によって限定されることはない。
【符号の説明】
【００９２】
１    映像表示装置
１０，２０，３０    スクリーン
１１    第１保護層
１２    第１光学形状層
１２１    第１単位光学形状
１２１ａ    第１斜面
１２１ｂ    第１対向面
１３    第１反射層
１４    第３光学形状層
１５    第２保護層
１６    第２光学形状層
１６１    第２単位光学形状
１６１ａ    第２斜面
１６１ｂ    第２対向面
１７    第２反射層
１８    第４光学形状層
２３    支持体層
２１，２２，３１    接合層
【図１】
0006988069.tif 000002
【図２】
0006988069.tif 000003
【図３】
0006988069.tif 000004
【図４】
0006988069.tif 000005
【図５】
0006988069.tif 000006
【図６】
0006988069.tif 000007
【図７】
0006988069.tif 000008